(57)【要約】   【課題】、１種類のスペーサーを用いて門塀との間隙を容易に調整できる埋込式郵便受け箱を提供することを目的とする。【解決手段】埋込式郵便受け箱１の郵便受け箱本体２は収納部６と前壁６ａの上部を貫通して前記収納部６の両側壁６ｂと頂壁６ｃを共有し前方に突出する直方体形状の投入部７とで構成される。郵便受け箱本体２の投入部７の前端７ａに口金部９を形成し収納部６の後壁６ｄに取出し口８を備える。郵便受け箱本体２は門塀４の切欠部５に挿入され固定手段Ｋによって門塀４に固定される。固定手段Ｋは収納部６の両側壁６ｂから前方に延設される取付け片１０に孔１３が設けられ隣接する門塀４にアンカーボルト１１によって固着される。収納部６の前壁６ａと門塀４との空間１６を覆う「コの字」状の前後位置調節可能なスペーサー３の両側壁２０の内面側に凸部１７と収納部６の両側壁６ｂの外面側に凹部１８が形成される。【選択図】  図１
2006326286.tif 000002
【特許請求の範囲】
【請求項１】
直方体形状の収納部と、この収納部の前壁上部を貫通して前記収納部の両側壁と頂壁を共有し前方に突出する直方体形状の投入部と、からなる郵便受け箱本体の前記投入部の前壁に口金部を形成し前記収納部の後壁に取出し口を備える埋込式郵便受け箱であって、
前記郵便受け箱本体が塀の切欠部に挿入されるとともに固定手段によって塀に固定され、前記収納部の前壁下部と塀との隙間を覆う「コの字」状の前後位置調節可能なスペーサーが前記スペーサーの両側壁と前記収納部の両側壁とにそれぞれ形成された凹部又は凸部を介して嵌合固着することを特徴とする埋込式郵便受け箱。
【請求項２】
請求項1に記載の埋込式郵便受け箱であって、前記郵便受け箱本体が塀の切欠部に挿入され、前記固定手段は前記収納部の両側壁から前方に延設される取付け片と隣接する前記塀に打込まれるアンカーボルトからなることを特徴とする埋込式郵便受け箱。
【請求項３】
請求項1に記載の埋込式郵便受け箱であって、前記郵便受け箱本体が塀の切欠部に挿入され、前記固定手段は前記収納部の底壁から延設される取付け片と隣接する前記塀に打込まれるアンカーボルトからなることを特徴とする埋込式郵便受け箱。
【請求項４】
請求項1に記載の埋込式郵便受け箱であって、前記郵便受け箱本体の前記投入部が塀の切欠部に挿入され、前記固定手段は前記収納部の前壁を貫通して隣接する前記塀に打込まれるアンカーボルトであることを特徴とする埋込式郵便受け箱。
【発明の詳細な説明】
【技術分野】
【０００１】
本考案は、埋込式郵便受け箱に関し、詳しくは、門塀に埋め込まれる埋込式郵便受け箱と門塀との隙間を埋める技術に関するものである。
【背景技術】
【０００２】
従来、門塀に設置される埋込式郵便受け箱は投入部と収納部とで構成され、この収納部が門塀の裏面側に向くように門塀の切欠部に埋め込まれる。
【０００３】
このとき、門塀の仕様（ブロックの厚み、モルタル仕上げ、タイル仕上げ等）により門塀の厚みがそれぞれ異なるので、門塀と郵便受け箱との間に間隙が生じるという問題があった。
【０００４】
このような問題を解決するための従来技術として、例えば、特許文献１の内容が知られている。
【０００５】
図１０、１１、１２に示すように、埋込式郵便受け箱１は郵便受け箱本体２とスペーサー３からなり厚さＴの門塀４の切欠部５に埋め込まれる。前記郵便受け箱本体２は収納部６と、収納部６の前壁６ａの上部に連接して突出する投入部７（突出長さＳ）とからなり、側面視で逆Ｌ字形状に構成される。
【０００６】
前記収納部６は門塀４の裏面側に配置され、前記収納部６の後壁６ｄには蓋付きの取出し口８を備えている。前記投入部７は門塀４の切欠部５に埋め込まれ、この投入部７の前端７ａは前記門塀４の表面側に露出するとともに蓋付きの口金部９を備えている。
【０００７】
前記スペーサー３は中空の偏平直方体形状が厚さＲで形成され、前記収納部６を門塀４に取付けるためのアンカーボルト１１（アンカー１１ａ、ワッシャー１１ｂ、ボルト１１ｃ）を挿入するための孔１２がスペーサー３の表面２１の４隅に形成される。
【０００８】
さらに、前記収納部６の前壁６ａの４隅には前記スペーサー３の孔１２に相当する位置に孔１３が同様に形成され、この収納部６の前壁６ａにスペーサー３が４隅のビス１４を介して固着される。
【０００９】
このように、隙間空間を埋めるのに必要なスペーサー３が投入部７を除く前記収納部６の前面領域（投入部７を除く領域）に予め固着されるので、埋込式郵便受け箱１はスペーサー３を取付けた状態の前記収納部６が孔１２を介して門塀４にアンカーボルト１１で固着されると門塀４と前記収納部６との間隙Ｒも同時に塞がれる。（Ｓ＝Ｔ＋Ｒ）
【特許文献１】実開昭６１−４３４８５号公報
【発明の開示】
【発明が解決しようとする課題】
【００１０】
ところが、門塀４はその厚みの違いによって数種類存在するので、厚みＲの異なる種数類のスペーサー３を揃えておく必要があり、在庫が増えるのでコストが上がるという問題があった。
【００１１】
また、埋込式郵便受け箱の取付け現場において、スペーサー３の調整が必要な場合に前記スペーサー３の取替えに手間がかかるという問題があった。
【００１２】
さらに、前記投入部７と共に前記収納部６も門塀４の切欠部５に埋め込まれる場合があり、さらに多様な種類のスペーサー３が必要であった。
【００１３】
そこで、本発明はかかる従来技術の問題に鑑みなされたものであり、１種類のスペーサーを用いて門塀との間隙を容易に調整できる埋込式郵便受け箱を提供することを目的とする。
【課題を解決するための手段】
【００１４】
請求項１の発明は、直方体形状の収納部と、この収納部の前壁上部を貫通して前記収納部の両側壁と頂壁を共有し前方に突出する直方体形状の投入部と、からなる郵便受け箱本体の前記投入部の前壁に口金部を形成し前記収納部の後壁に取出し口を備える埋込式郵便受け箱であって、前記郵便受け箱本体が塀の切欠部に挿入されるとともに固定手段によって塀に固定され、前記収納部の前壁下部と塀との隙間を覆う「コの字」状の前後位置調節可能なスペーサーが前記スペーサーの両側壁と前記収納部の両側壁にそれぞれ形成された凹部又は凸部を介して嵌合固着することを特徴としている。
【００１５】
この埋込式郵便受け箱であれば、前記収納部の前壁下部と塀との隙間を覆う「コの字」状のスペーサーが前後位置調節可能に形成される。
【００１６】
また、前記スペーサーの両側壁と前記収納部の両側壁にそれぞれ凹部又は凸部が形成されて、この凹部又は凸部を介して嵌合固着することができる。
【００１７】
前記郵便受け箱本体が塀の切欠部に挿入されて固定手段によって塀に固定される。
【００１８】
請求項２の発明は、請求項1に記載の埋込式郵便受け箱であって、前記郵便受け箱本体が塀の切欠部に挿入され、前記固定手段は前記収納部の両側壁から前方に延設される取付け片と隣接する前記塀に打込まれるアンカーボルトからなることを特徴としている。
【００１９】
この埋込式郵便受け箱であれば、前記収納部の両側壁から前方に延設される取付け片と隣接する前記塀に打込まれるアンカーボルトからなる前記固定手段によって、埋込式郵便受け箱は塀に固定される。
【００２０】
請求項３の発明は、請求項1に記載の埋込式郵便受け箱であって、前記郵便受け箱本体が塀の切欠部に挿入され、前記固定手段は前記収納部の底壁から延設される取付け片と隣接する前記塀に打込まれるアンカーボルトからなることを特徴としている。
【００２１】
この埋込式郵便受け箱であれば、前記固定手段は前記収納部の底壁から延設される取付け片と隣接する前記塀に打込まれるアンカーボルトからなる前記固定手段によって、埋込式郵便受け箱は塀に固定される。
【００２２】
請求項４の発明は、請求項1に記載の埋込式郵便受け箱であって、前記郵便受け箱本体の前記投入部が塀の切欠部に挿入され、前記固定手段は前記収納部の前壁を貫通して隣接する前記塀に打込まれるアンカーボルトであることを特徴としている。
【００２３】
この埋込式郵便受け箱であれば、前記固定手段は前記収納部の前壁を貫通して隣接する前記塀に打込まれるアンカーボルトからなる前記固定手段によって、埋込式郵便受け箱は塀に固定される。
【発明の効果】
【００２４】
請求項１記載の発明によれば、この埋込式郵便受け箱であれば、前記収納部の前壁下部と塀との隙間を覆う「コの字」状のスペーサーが前後位置調節可能に形成されるので、異なる厚みの門塀に影響されることなく１種類のスペーサー３によって厚みを変えることができるので兼用することができる。
【００２５】
また、前記スペーサーの両側壁と前記収納部の両側壁にそれぞれ凹部又は凸部が形成されるので、この凹部と凸部を嵌合するだけで郵便受け箱を塀に迅速且つ容易に取付けることができる。
【００２６】
そして、前記固定手段によって埋込式郵便受け箱を塀に確実に固着することができる。
【００２７】
請求項２記載の発明によれば、前記固定手段によって埋込式郵便受け箱を塀に確実に固着することができる。
【００２８】
請求項３記載の発明によれば、請求項２記載の効果と同じ効果が得られる。
【００２９】
請求項４記載の発明によれば、請求項２記載の効果と同じ効果が得られる。
【発明を実施するための最良の形態】
【００３０】
＜本発明の第１の実施形態＞
以下に、本発明の第１の実施形態を図１〜図７に基づいて説明する。なお、図１０、１１、１２に示した構成と同等部分には適宜に同一符号を付して説明する。
【００３１】
＜埋込式郵便受け箱の構成＞
図1、図２に示すように、本発明の埋込式郵便受け箱１の郵便受け箱本体２は直方体形状の収納部６と、この収納部６の前壁６ａの上部を貫通して前記収納部６の両側壁６ｂと頂壁６ｃを共有して前方に突出する直方体形状の投入部７とで構成される。そして、郵便受け箱本体２の前記投入部７の前端７ａに口金部９を形成し前記収納部６の後壁６ｄに取出し口８を備えている。
【００３２】
この埋込式郵便受け箱１を門塀４に取付けるには、前記郵便受け箱本体２が門塀４の切欠部５に挿入されるとともに固定手段Ｋによって門塀４に固定される。
【００３３】
前記固定手段Ｋは、前記収納部６の両側壁６ｂの下部から前方に延設される取付け片１０（幅Ｔ１、高さＴ２）とこの取付け片１０を隣接する前記門塀４に固着するアンカーボルト１１とによって構成され、取付け片１０にアンカーボルト１１用の孔１３が円形又は長円形で設けられる。
【００３４】
そして、前記収納部６の前壁６ａと門塀４との空間１６を覆う「コの字」状の前後位置調節可能なスペーサー３が設けられ、このスペーサー３の両側壁２０の内面側に凸部１７と前記収納部６の両側壁６ｂの外面側に凹部１８が形成されて互いが嵌合することで固着される。
【００３５】
前記投入部７の両側壁７ｂの下端部７ｃに表示されるマークＱの数字「２、５、１２」はそれぞれ前記投入部７の前端７ａからの深さを示しており、スペーサー３の表面２１をそれぞれの数字「２、５、１２」に合わせた位置において前端７ａから表面２１までの深さがそれぞれ２ｃｍ、５ｃｍ、１２ｃｍであることを示している。そして、前記マークＱの数字「２、５、１２」に対応して前記凸部１７（１７ａ、１７ｂ、１７ｃ）と前記凹部１８（１８ａ、１８ｂ、１８ｃ）の３組が形成される。
【００３６】
なお、前記投入部７の前端７ａが門塀４の表面４ａと面一になるように取付けられる。
【００３７】
門塀４はブロック５０によって形成されており、ブロック５０の形状は、例えば、幅４００ｍｍ、高さ２００ｍｍで、厚み１２０ｍｍ、又は１５０ｍｍのブロックが使用される。このブロック形状に挿入できる大きさに郵便受け箱本体２は形成されるので、郵便受け箱本体２は幅Ｌ＝略４００ｍｍ、高さＭ＝略２００ｍｍであり、厚みＮ＝略２００ｍｍ〜３００ｍｍに形成される。投入部７の高さＨ＝略９５ｍｍ、前記突出長さＧ＝略１５０ｍｍである。
【００３８】
「コの字」状のスペーサー３は、表面２１が幅Ｐ１＝略４００ｍｍ、高さＰ２＝略１０５ｍｍ（Ｍ＝２００ｍｍとＨ＝９５ｍｍの差）であり、この表面２１に対して角度９０度で連結する両側壁２０が幅Ｐ３＝略１６０ｍｍ、高さＰ４＝略７０ｍｍで形成される。このとき、両側壁２０と表面２１とはそれぞれの上辺２０ａ、２１ａが同一面になるように取付けられる。さらに、表面２１の下辺２１ｂに幅Ｐ５の帯状板２２が下辺２１ｂに直角に取付けられ、表面２１と側壁２０が交わる角部２４に沿って両側壁２０と同一平面内に帯状板２３が幅Ｐ５で設けられる。
【００３９】
なお、郵便受け箱本体２を取付け片１０によって取付ける際には隣接する前記門塀４との間に座金２６が用いられるので、この座金２６によって前記収納部６の側壁６ｂと前記門塀４との間に隙間Ｔが確保できる。この隙間Ｔにスペーサー３の側壁２０が挿入されることによって、スペーサー３を矢印Ｙの方向に挿入することができる。
【００４０】
埋込式郵便受け箱１の郵便受け箱本体２とスペーサー３の材料は、例えば、亜鉛鋼板又はＳＵＳ３０４ステンレス鋼の薄肉材が用いられる。凸部１７と凹部１８は、この薄肉材を所定の位置でプレス加工することで略半球形の３対の凸凹が容易に形成される。口金部９はアルミダイカスト又は樹脂製が用いられる。
【００４１】
図３に示すように、スペーサー３は矢印Ｙ１で示す方向に移動調整できるので、所定位置におけるスペーサー３の凸部１７と収納部６の凹部１８とが嵌合することによりスペーサー３が固定される。ここで、３組すべての凸部１７（１７ａ、１７ｂ、１７ｃ）と凹部１８（１８ａ、１８ｂ、１８ｃ）は必ずしも同時に嵌合しないが、最低１組の嵌合によりスペーサー３は確実に固定される。    
なお、好ましくは、スペーサー３を郵便受け箱本体２に凸部１７と凹部１８を介して固定した状態で門塀４に組み込むと作業がより簡単である。
【００４２】
図４に示すように、スペーサー３の表面２１がマークＱの数字「２」の位置にある場合は、門塀４の表面４ａからスペーサー３の表面２１までの深さＳ１＝２ｃｍの状態で１組の凸部１７ｃと凹部１８ａが嵌合する。ブロックの深さはＮ＝１２０ｍｍであり、この深さＳ１＝２ｃｍの空間には、例えばモルタルが塗布される。
【００４３】
図５に示すように、スペーサー３の表面２１がマークＱの数字「５」の位置にある場合は、門塀４の表面４ａからスペーサー３の表面２１までの深さＳ２＝５ｃｍの状態で１組の凸部１７ｃと凹部１８ｂが嵌合する。ブロックの深さはＮ＝１２０ｍｍであり、この深さＳ２＝５ｃｍの空間には、例えばモルタル或いはタイルが塗布される。
【００４４】
図６に示すように、スペーサー３の表面２１がマークＱの数字「１２」の位置にあるので、門塀４の表面４ａからスペーサー３の表面２１までの深さＳ３＝１２ｃｍの状態である。ここで、ブロックの深さはＮ＝１２０ｍｍなので、門塀４の裏面４ｂとスペーサー３の表面２１が当接する状態であり、門塀４の裏面４ｂと前記収納部６の前壁６ａとの間に形成される空間１６はスペーサー３の両側部の帯状板２３と下部の帯状板２２とによって覆われる。この状態では３組の凸部１７ａ、１７ｂ、１７ｃと凹部１８ａ、１８ｂ、１８ｃとが同時に嵌合する。
【００４５】
図７に示すように、ブロックの深さＮ＝１５０ｍｍの場合には、ブロックの深さＮと投入部７の突出長さＧ＝略１５０ｍｍとが一致するのでスペーサー３は使用されない。
【００４６】
この状態では郵便受け箱本体２は、前記収納部６の前壁６ａに水平に設けられる２組の孔２７とアンカーボルト１１からなる固定手段Ｋ２で門塀４に固定される。
【００４７】
＜埋込式郵便受け箱の作用＞
上記のように、投入部７の突出長さＧ＝１５０ｍｍの埋込式郵便受け箱１に対して、１種類のスペーサー３によって、前記投入部７の前端７ａからスペーサー３の表面２１までの深さが、Ｓ１＝２ｃｍ、Ｓ２＝５ｃｍ、Ｓ３＝１２ｃｍの３種類（ブロックの深さはＮ＝１２０ｍｍ）に対応できるので、在庫が減少してコストを下げることができる。
【００４８】
また、埋込式郵便受け箱の取付け現場において、凸部１７と前記収納部６の凹部１８を嵌合するだけでスペーサー３を所定の位置に確実、且つ容易に固定できるので作業性が向上する。
【００４９】
＜本発明の第２の実施形態＞
図８に示すように、固定手段Ｋ１は、前記収納部６の底壁６ｆから前方に延設される取付け片２５（幅Ｔ３、長さＴ４）とアンカーボルト１１とで構成され、取付け片２５には孔２８が２組設けられるとともに、この孔２８を介して隣接する前記門塀４にアンカーボルト１１で固着される。
【００５０】
この方法によれば、前記固定手段Ｋにおいては前記取付け片１０が左右２箇所必要であったが、この固定手段Ｋ１であれば取付け片２５が１箇所でよいので、郵便受け箱本体２の製作コストを軽減することができる。
【００５１】
＜本発明の第３の実施形態＞
図９に示すように、前記収納部６が上下方向に２個のブロック５０に亘って設けられる状態である。
【００５２】
この場合、固定手段Ｋ２は前記収納部６の前壁６ａに水平に設けられる２組の孔２７と、この孔２７を介して隣接する前記門塀４に打込まれるアンカーボルト１１とで構成される。このため、上記のような取付け片１０或いは取付け片２５がまったく不要である。そして、上記と同様にスペーサー３を矢印Ｙ２の方向に調整して取付けることができる。
【００５３】
以上、本発明の実施形態を図面に基づいて説明したが、上記の実施例はいずれも本発明の一例を示したものであり、本発明はこれらに限定されるべきでないということは言うまでもない。
【００５４】
スペーサー３の両側壁２０の内面側に凸部１７と前記収納部６の両側壁６ｂの外面側に凹部１８を形成するかわりに、両側壁２０の内面側に凹部１８と前記収納部６の両側壁６ｂの外面側に凸部１７を形成してもよい。
【００５５】
凹部１８の形状は、上記略半球形の形状の代わりに、凸部１７に対応した円形孔でも同様の嵌合効果を得ることができる。なお、この場合、雨漏りを防止するために前記収納部６側には円形孔は形成されない。
【００５６】
さらに、スペーサー３の側壁２０が収納部６の内部に挿入する構成でも構わない。この場合、収納部６の前壁６ａには側壁６ｂに沿って側壁２０を挿入する為のスリット（切り欠き）が設けられ、側壁２０と側壁６ｂのそれぞれの対向面側に凸部１７又は凹部１８が形成される。
【００５７】
前記収納部６の両側壁６ｂに表示されるマークＱの数字「２、５、１２」は、片方の側壁６ｂだけの表示であってもよく、凸部１７と凹部１８によって左右の位置は正確に固定することができる。
【００５８】
また、マークＱの数字「２、５、１２」及び位置は、現場の実状に合わせてその数字、位置を変えてもよく、さらに、マークＱの数字は他の記号を用いて表示することもできる。
【図面の簡単な説明】
【００５９】
【図１】本発明の第１の実施形態における、郵便受け箱本体２とスペーサー３からなる埋込式郵便受け箱１の分解斜視図である。
【図２】本発明の第１の実施形態における、固定手段Ｋとスペーサー３の側壁２０の状態を示す図１のＣ−Ｃ透視図である
【図３】本発明の第１の実施形態における、図１のＤ−Ｄ側面図である。
【図４】本発明の第１の実施形態における、スペーサー３の表面２１が郵便受け箱本体２のマークＱの数字「２」の位置である状態を示す側面図である。
【図５】本発明の第１の実施形態における、スペーサー３の表面２１が郵便受け箱本体２のマークＱの数字「５」の位置である状態を示す側面図である。
【図６】本発明の第１の実施形態における、スペーサー３の表面２１が郵便受け箱本体２のマークＱの数字「１２」の位置である状態を示す側面図である。
【図７】本発明の第１の実施形態における、門塀４のブロックの深さＮ＝１５０ｍｍの場合の郵便受け箱本体２の状態を示す側面図である。
【図８】本発明の第２の実施形態における、固定手段Ｋ１の状態を示す斜視図である。
【図９】本発明の第３の実施形態における、門塀４のブロックの深さＮ＝１５０ｍｍの場合の固定手段Ｋ２の状態を示す側面図である。
【図１０】従来例における、郵便受け箱本体２とスペーサー３からなる埋込式郵便受け箱１の分解斜視図である。
【図１１】従来例における、図１０のＡ−Ａ透視図である。郵便受け箱本体２とスペーサー３からなる埋込式郵便受け箱１の分解斜視図である。
【図１２】従来例における、図１１のＢ詳細図である。
【符号の説明】
【００６０】
１  埋込式郵便受け箱
２  郵便受け箱本体
３  スペーサー
２０  側壁
４  塀
５  切欠部
６  収納部
６ａ  前壁
６ｂ  側壁
６ｃ  頂壁
６ｄ  後壁
７  投入部
７ａ  前端
８  取出し口
９  口金部
１１  アンカーボルト
１２  取付け片
１３  孔
１６  空間
１７  凸部
１８  凹部
Ｋ  固定手段
【図１】
2006326286.tif 000003
【図２】
2006326286.tif 000004
【図３】
2006326286.tif 000005
【図４】
2006326286.tif 000006
【図５】
2006326286.tif 000007
【図６】
2006326286.tif 000008
【図７】
2006326286.tif 000009
【図８】
2006326286.tif 000010
【図９】
2006326286.tif 000011
【図１０】
2006326286.tif 000012
【図１１】
2006326286.tif 000013
【図１２】
2006326286.tif 000014